(57)【要約】【課題】  水分計に基づく自動停止の機能があると、穀物が無い状態で排出運転を行うと、水分計が穀物を採取できないことによる自動停止が行われるため、オペレータは任意に清掃運転ができない。【解決手段】  穀物を搬送する搬送機構（Ｈ）と、排風ファン（５）と、水分計(１４)を備え、前記搬送機構（Ｈ）と排風ファン（５）を駆動して貯留室（１）内の穀物を機外に排出する排出運転時に、搬送機構（Ｈ）で搬送中の穀物から水分計(１４)でサンプル穀物を設定間隔で採取し、サンプル穀物を採取できなくなると穀物無しと判定して排出運転を自動的に停止する制御手段を備える穀物乾燥機において、  水分計（１４）がサンプル穀物を採取しなくても排出運転の動作を継続する清掃運転を行う清掃運転モードを備える。【選択図】  図５
2015210017.tif 000002
【特許請求の範囲】
【請求項１】
穀物を搬送する搬送機構と、排風ファンと、水分計を備え、前記搬送機構と排風ファンを駆動して貯留室内の穀物を機外に排出する排出運転時に、搬送機構で搬送中の穀物から水分計でサンプル穀物を設定間隔で採取し、サンプル穀物を採取できなくなると穀物無しと判定して排出運転を自動的に停止する制御手段を備える穀物乾燥機において、
水分計がサンプル穀物を採取しなくても排出運転の動作を継続する清掃運転を行う清掃運転モードを備えることを特徴とする穀物乾燥機。
【請求項２】
乾燥運転時間を検出するタイマーを備え、該タイマーが前記乾燥運転時間の累積時間が予め設定する乾燥運転時間を超えたことを検出すると、清掃運転を行うよう表示手段に表示することを特徴とする請求項１記載の穀物乾燥機。
【請求項３】
前記乾燥運転時間は、搬送機構の駆動モータの累積の駆動時間であることを特徴とする請求項２記載の穀物乾燥機。
【請求項４】
前記乾燥運転時間は、穀物を循環させる燃焼運転又は通風運転であることを特徴とする請求項２記載の穀物乾燥機。
【請求項５】
清掃運転は、操作盤の排出スイッチを設定時間内に複数回操作することで開始することを特徴とする請求項１から請求項４いずれか記載の穀物乾燥機。
【請求項６】
清掃運転は、排出運転が自動的に停止した後に、再度排出スイッチを操作すると開始することを特徴とする穀物乾燥機。
【発明の詳細な説明】
【技術分野】
【０００１】
本発明は、穀物乾燥機に関する。
【背景技術】
【０００２】
特許文献１には、水分計に基づく穀物自動排出停止の技術が記載されている。
特許文献２には、穀物の排出作業後に設定時間清掃運転を行う技術が記載されている。
【先行技術文献】
【特許文献】
【０００３】
【特許文献１】特許第５１１５１１９号
【特許文献２】特開平２−１７８５８５
【発明の概要】
【発明が解決しようとする課題】
【０００４】
水分計に基づく自動停止の機能があると、穀物が無い状態で排出運転を行うと、水分計が穀物を採取できないことによる自動停止が行われるため、オペレータは任意に清掃運転ができない。
【課題を解決するための手段】
【０００５】
上述した課題を解決し、目的を達成するために、
請求項１記載の発明は、穀物を搬送する搬送機構と、排風ファンと、水分計を備え、前記搬送機構と排風ファンを駆動して貯留室内の穀物を機外に排出する排出運転時に、搬送機構で搬送中の穀物から水分計でサンプル穀物を設定間隔で採取し、サンプル穀物を採取できなくなると穀物無しと判定して排出運転を自動的に停止する制御手段を備える穀物乾燥機において、
水分計がサンプル穀物を採取しなくても排出運転の動作を継続する清掃運転を行う清掃運転モードを備えることを特徴とする穀物乾燥機とする。
【０００６】
これにより、オペレータは張込穀物無し時の清掃運転をおこなうことができる。
請求項２記載の発明は、乾燥運転時間を検出するタイマーを備え、該タイマーが前記乾燥運転時間の累積時間が予め設定する乾燥運転時間を超えたことを検出すると、清掃運転を行うよう表示手段に表示することを特徴とする請求項１記載の穀物乾燥機とする。
【０００７】
これにより、定期的に清掃運転を行うようにオペレータに促すことができる。
請求項３記載の発明は、前記乾燥運転時間は、搬送機構の駆動モータの累積の駆動時間であることを特徴とする請求項２記載の穀物乾燥機とする。
【０００８】
これにより定期的に、適切な時期に清掃運転を行うようにオペレータに促すことが出来る。
請求項４記載の発明は、前記乾燥運転時間は、穀物を循環させる燃焼運転又は通風運転であることを特徴とする請求項２記載の穀物乾燥機とする。
【０００９】
これにより適切な時期に清掃運転を行うようにオペレータに促すことが出来る。
請求項５記載の発明は、清掃運転は、操作盤の排出スイッチを設定時間内に複数回操作することで開始することを特徴とする請求項１から請求項４いずれか記載の穀物乾燥機とする。
【００１０】
排出運転と同じ運転を行う清掃運転について、オペレータが分かり易い。また、誤操作を防止できる。
請求項６記載の発明は、清掃運転は、排出運転が自動的に停止した後に、再度排出スイッチを操作すると開始することを特徴とする穀物乾燥機とする。
【００１１】
排出運転と同じ運転を行う清掃運転について、オペレータが分かり易い。また、誤操作を防止できる。
【発明の効果】
【００１２】
清掃運転モードを備えることで機内に残る塵埃や異物・残留穀物を機外に排出することが出来る。
【図面の簡単な説明】
【００１３】
【図１】穀物乾燥機全体の斜視図
【図２】穀物乾燥機の内部を示す模式図
【図３】穀物乾燥機の伝動機構図
【図４】操作盤図
【図５】乾燥運転のタイムチャート
【図６】オペレータが点検窓から機体内に棒を挿入したことを示す図
【図７】ブロック図
【発明を実施するための形態】
【００１４】
本発明を実施するための形態（実施形態）につき、図面を参照しつつ詳細に説明する。
穀物乾燥機は箱体状に形成され、上から穀物を収容する貯留部１と、穀物を乾燥する乾燥部２を備え、箱体前側には燃焼バーナ３を収容する燃焼バーナケース４を設け、箱体後側には乾燥部２の熱風を吸引して機外に排出する排風ファン５を設けている。
【００１５】
乾燥部２は燃焼バーナ３で生成した熱風が供給される熱風室６と排風ファン５の吸引作用がなされる排風室７と、熱風室６と排風室７の間の穀物流下通路８とを備える。穀物流下通路８は多数のスリット等を形成し、熱風室６内の熱風を穀物流下通路８を流入可能に形成している。熱風は熱風室６から穀物流下通路８に流入し、穀物に乾燥作用を及ぼし、排風室７から吸引されて排風ファン５で機外に排出される。
【００１６】
次に、穀物を循環あるいは排出する搬送機構Ｈについて説明する。
箱体の前側に備えるバケット１０ａ式の昇降機１０を備え、箱体の上部には昇降機１０で搬送された穀物を貯留部１まで搬送する上部コンベア１１と、上部コンベア１１で搬送された穀物を貯留部１全体に拡散させる拡散羽根１２を設けている。
【００１７】
乾燥部２の下部には乾燥部２を流下する穀物を下方に繰り出すロータリバルブ１３と、ロータリバルブ１３で繰り出された穀物を昇降機１０まで搬送する下部コンベア２０を備える。
【００１８】
昇降機１０の途中部には、昇降機１０で搬送する穀物からサンプル穀物を採取して穀物の水分値を測定する水分計１４を設け、昇降機１０の上部には、昇降機１０で搬送された穀物を機外に排出するか上部コンベア１１側に搬送するかを切換える排出用のシャッタ１５を設ける。
【００１９】
搬送機構Ｈの駆動モータ２７は昇降機１０の上部に設けられており、駆動モータ２７のプーリ１６と上部コンベア１１の伝動プーリ１７とをベルト伝動し、上部コンベア１１の伝動プーリ１７と昇降機１０の上部プーリ１８とをベルト伝動する。そして、昇降機１０の下部プーリ１９と下部コンベア２０の伝動プーリ２１をベルト伝動し、上部コンベア１１と拡散羽根１２をベベルギア２２で伝動する。
【００２０】
上部コンベア１１で搬送する穀物に混じる異物を吸引して機外に排出する排塵機２３は排塵機駆動モータ２６で駆動し、ロータリバルブ１３はロータリバルブ駆動モータ２４で駆動し、排風ファン５は排風ファン駆動モータ２５で駆動する。
【００２１】
次に、操作盤３０の構成について説明する。
操作盤３０には、穀物の張込を行う張込スイッチ３１、穀物を通風循環させる通風スイッチ３２、穀物を乾燥循環させる乾燥スイッチ３３、穀物を機外に排出する排出スイッチ３４、これらの各運転を停止させる停止スイッチ３５を設ける。
【００２２】
また、乾燥する穀物の種類を選択する穀物設定スイッチ３６と、乾燥速度を選択する乾燥速度選択スイッチ３７と、水分を設定する水分設定スイッチ３８、張込量を設定する張込量設定スイッチ３９と、乾燥運転の情報を表示する表示画面４０を備えている。操作盤３０の内部には制御部４１が内蔵されている。
【００２３】
次に、穀物乾燥機の運転の概要について説明する。
収穫して車両等にて運搬した穀物を穀物乾燥機で張り込むときに、張込スイッチ３１を操作する。すると、搬送機構Ｈの駆動モータ２７が駆動し、投入された穀物は昇降機１０、上部コンベア１１で搬送され、拡散羽根１２で貯留部１内に拡散される。このとき、ロータリバルブ駆動モータ２４は駆動しないため、穀物は乾燥部２及び貯留部１内に順次張り込まれる。
【００２４】
張込作業の終了後、オペレータは一旦、停止スイッチ３５で張込運転を停止し、穀物設定スイッチ３６と、乾燥速度選択スイッチ３７、水分設定スイッチ３８、張込量設定スイッチ３９等を操作し、乾燥条件を設定する。次いで、乾燥スイッチ３３を操作すると、搬送機構Ｈの駆動モータ２７、ロータリバルブ駆動モータ２４、排風ファン駆動モータ２５、排塵機駆動モータ２６、燃焼バーナ６が駆動を開始し、穀物を機内で循環させながら乾燥を行う乾燥運転が開始される。
【００２５】
乾燥運転中、水分計１４は設定時間毎にサンプル穀物の水分値を検出したり、穀物が昇降機１０を搬送しているか否かの検出を行う。すなわち、穀物が詰まりにより搬送されないと、サンプル穀物を採取できないので、この場合には循環異常として乾燥運転を停止させる。
【００２６】
乾燥運転により、水分計１４で検出する水分値が目標水分値まで到達すると、乾燥運転は停止する。
オペレータが乾燥機内の穀物を機外に排出するときには、排出スイッチ３４を操作すると搬送機構Ｈの駆動モータ２７と、ロータリバルブ駆動モータ２４と、排風ファン駆動モータ２５が駆動を開始し、排出シャッタ１５が機外排出側に切換わることで、昇降機１０で搬送された穀物は順次機外に排出される。
【００２７】
排出運転中に水分計１４は設定時間毎にサンプル穀物を採取し、設定時間サンプル穀物を採取できなくなると排出する穀物が無くなったと制御部４１は判定し、排出運転を自動停止する。
【００２８】
次に、清掃運転について説明する。
清掃運転とは乾燥機内に穀物が無い状態で、乾燥機内に滞留する塵埃や昇降機１０のバケットに残留する穀物を機外に排出する運転のことで、運転動作は、搬送機構Ｈと排風ファン５と排塵機２３を駆動し、排出シャッタ１５が機外排出側に切換わる。すなわち、前述の排出運転と同様である。
【００２９】
運転操作は、オペレータが排出スイッチ３４を設定時間（例えば５秒）内に２回操作すると、清掃運転が開始される。このときには、水分計１４は駆動しない状態とし、前述の水分計１４がサンプル穀物を採取しないと排出運転を自動停止する制御を行わない。すなわち、オペレータが停止スイッチ３５を操作するまでは清掃運転は継続される。
【００３０】
この清掃運転により、穀物乾燥機内に滞留する塵埃を排風ファン５や排塵機２３の作用で機外に排出される。これにより、塵埃が滞留することによる各種不具合を防止することができる。また、昇降機１０のバケット１０ａに残留する穀物を機外に排出することで、次に張り込まれて乾燥する籾と混合するいわゆるコンタミを防止することが出来る。
【００３１】
次に、清掃運転を定期的に行うようにオペレータに報知する機能について説明する。
図５に示すように乾燥運転を複数回行い、乾燥運転の時間をタイマー４３でカウントする。そして、カウントされた累積の運転時間が設定時間（例えば３００時間以上）になると清掃運転モードを行うように表示画面４０に表示される。
【００３２】
オペレータが清掃運転を行うと、前記清掃運転を行うようことの表示画面４０が消去される。乾燥運転中に前記の累積の運転時間が超えた場合（Ｔ）には、当該乾燥運転中にはその旨は表示されず、当該乾燥運転の終了時、又は、次に乾燥機の電源を入れたとき（Ｒ）、又は、次の乾燥の張込スイッチ３１の操作時にその旨が表示される。
【００３３】
清掃運転を行うべく表示が表示画面４０が表示されたときには、清掃モードを行わないと、張込スイッチ３１を操作しても張込運転を規制するように構成しても良い。
前記の累積の運転時間とは、例えば、乾燥運転の累積時間や乾燥運転（燃焼運転）と通風運転の累積時間が考えられるが、他にも例えば搬送機構Ｈの駆動モータ２７の駆動の累積時間としてもよい。あるいは、搬送機構Ｈの駆動モータ２７が連続して設定時間（例えば１時間）以上駆動した時のみカウントし、当該カウントされた累積時間が設定時間以上を超えると清掃運転を行う表示を行うようにしても良い。あるいはロータリバルブ駆動モータ２４や排風ファン駆動モータ２５の累積時間でも良い。
【００３４】
清掃運転は排出運転が水分計１４に基づき自動停止した時に、再度、排出スイッチ３４を操作すると清掃運転に移行する制御を行うようにしても良い。
本実施の形態により、清掃運転を行う操作手段を設けることでオペレータは簡単な操作で清掃運転を行うことが出来る。また、定期的に清掃運転を行う旨の表示をすることで、オペレータに清掃運転を促し、塵埃が機内に滞留することによる不具合を防止することが出来る。また、清掃運転を排出スイッチ３４を利用することで、オペレータが仮に排出運転時に２回連続して操作して、清掃運転に移行しても、水分計１４による自動停止機能が無い状態での排出運転を行うことになるため、穀物の排出に障害は無く、誤操作を防止することが出来る。
【００３５】
また、清掃運転時には風圧センサ（図示せず）の検出に基づく異常停止機能を停止しても良い。風圧センサとは乾燥機内に流入する吸引風の有無を検出する機能があり、乾燥運転時には排風ファン５が異常等で吸引機能が無いと吸引風無しとして運転を異常停止する。しかしながら、清掃運転時は図６に示すように点検蓋（図示せず）を開けて点検口からオペレータが棒を挿入して残留異物を掻き出すことで排風ファンによる機外排出を促進させることがあり、点検蓋を開けると当該点検口が開口するため吸引風がそこから流入し、風圧センサが吸引風を検出せず異常を判定する場合がある。そのため、清掃運転時は風圧センサの機能を停止することで清掃運転を継続することが出来る。
【符号の説明】
【００３６】
Ｈ  搬送機構
１  貯留部（貯留室）
５  排風ファン
１４  水分計
３４  排出スイッチ
４０  表示手段
４３  タイマー
【図１】
2015210017.tif 000003
【図２】
2015210017.tif 000004
【図３】
2015210017.tif 000005
【図４】
2015210017.tif 000006
【図５】
2015210017.tif 000007
【図６】
2015210017.tif 000008
【図７】
2015210017.tif 000009